(57)【特許請求の範囲】
【請求項１】
選挙投票所の入場券に記録された情報を読み取る読取手段と、有権者名簿の情報を記憶する記憶手段と、前記読取手段により読み取られた入場券の情報と前記記憶手段に記憶された有権者名簿の情報とを照合し、読み取られた入場券の情報に対応する有権者名簿の情報を抽出する照合手段と、該照合手段により照合した結果を表示する表示手段と、指示に基づいて投票用紙を１枚ずつ交付する投票用紙交付手段と、前記入場券が正当なものであると判断し、該入場券を受け付けることとしたとき、前記投票用紙交付手段に投票用紙交付の指示を出す交付指示手段とを備えた投票受付装置であって、
正当なものであると判断され受け付けられた入場券の受付枚数と、前記投票用紙交付手段から送信された、実際に交付した投票用紙の交付枚数とを比較する比較手段と、該比較手段により比較した結果を出力する出力手段とを備えたことを特徴とする投票受付装置。
【請求項２】
前記交付指示手段は、手動で操作するものであって、係員が前記表示手段の表示により前記入場券が正当なものであると判断したときに操作し、投票用紙の交付を指示することを特徴とする請求項１に記載の投票受付装置。
【請求項３】
前記交付指示手段は、前記照合手段による照合結果から入場券が正当なものであることを判断して自動的に投票用紙の交付を指示するものであることを特徴とする請求項１に記載の投票受付装置。
【請求項４】
前記比較手段は、予め定めた時刻あるいは時間毎に動作することを特徴とする請求項３に記載の投票受付装置。
【請求項５】
前記比較手段は、前記受付枚数集計手段が集計した入場券の受付枚数、または、前記交付枚数集計手段が集計した投票用紙の交付枚数のいずれかが予め定めた枚数に達する毎に動作することを特徴とする請求項３に記載の投票受付装置。
【請求項６】
前記読取装置が情報を読み取った入場券の枚数を集計する読取枚数集計手段を備え、該読取枚数集計手段が集計した入場券の読取枚数が予め定めた枚数に達する毎に前記比較手段が動作することを特徴とする請求項３に記載の投票受付装置。
【発明の詳細な説明】
【０００１】
【発明の属する技術分野】
本発明は、各種選挙の投票所における入場券の受け付けと投票用紙の交付を機械化した投票受付装置に関し、特に、投票者の照合が容易で、受け付けた入場券の枚数と交付した投票用紙の枚数との比較確認が容易な投票受付装置に関する。
【０００２】
【従来の技術】
従来の選挙投票の受け付けでは、有権者が持参した投票所入場券（葉書）に印刷されている住所、氏名等を係員が手作業で有権者名簿と照合し、係員が年齢や性別など大凡の特徴から本人であることを目視にて確認して、名簿の消し込み作業を行うとともに投票用紙を手渡しで交付しており、全てが手作業によるものであるため作業自体が多大な労力を要し、また、照合ミスや名簿の消し込みミスを生じないようにするために極度の注意力が要求されるなど、係員の負担が甚だ大きいものであった。
【０００３】
また、例えば特開平６−１８０７０８号公報に記載のように、投票所入場券に記された有権者名等の情報を入場券読取り装置によって読み取り、有権者データーベース記憶装置の有権者名簿と照合して、正当な有権者であると判別すると投票用紙発行機から投票用紙を発行するよう選挙端末装置を構成することにより、投票受付業務の自動化を図ることが提案されている。
【０００４】
【発明が解決しようとする課題】
上述のように投票所入場券の情報と名簿の情報との照合を始めとして投票受け付けの全てを手作業で行う従来の方式では、要する労力が多大で、極度の注意力を必要とし、係員の負担が甚だ大きかった。そこで、そうした受付業務における照合作業等を機械化することにより労力を低減し係員の負担を軽減したいという要求が生ずる。上記特開平６−１８０７０８号公報に記載の選挙端末装置は、そうした要求に答えた受付業務の自動化を図ろうとするものである。
【０００５】
ところで、投票所の受付作業においては、正当な有権者に対し一人につき投票用紙が１枚ずつ確実に交付されねばならず、来場した正当な有権者の数と交付した投票用紙の数は常に一致しなければならない。投票所における受け付けを全てを手作業で行う従来の方式では、投票用紙交付にミスが生じないよう万全の注意を払う必要があり、それが係員の負担が大きくなる所以である。
【０００６】
また、上記特開平６−１８０７０８号公報に示された装置では、入場券と名簿を照合し、正当な有権者であると判別されると投票用紙発行機から投票用紙が自動的に１枚発行されるので、装置が正常に作動する限りは、来場した有権者の数と交付した投票用紙の数は一致するはずであるが、機械にも様々な誤作動要因があり、操作する側の人為的ミスもあって、そうした装置の誤作動や人為的ミスにより、来場した有権者の数と交付した投票用紙の数とに不一致が生じる可能性があることは否めない。
【０００７】
このように、従来の手作業による投票受付の作業や、投票受付業務の自動化を図った従来の装置は、いずれも、例えば正当な有権者１人に対し２枚の投票用紙を交付してしまったり、有権者の受け付けを行っていないにもかかわらず投票用紙を交付してしまったりする可能性があって、来場した正当な有権者の数と交付した投票用紙の数が一致しなくなることがあり、また、そうした事態の発生を適時把握して速やかに対処するということができなかった。
【０００８】
本発明はこうした問題点に鑑みてなされたもので、来場し受け付けた正当な有権者の数と、交付した投票用紙の数が一致しなくなる事態を速やかに把握して、迅速に対処することができる投票受付装置を提供することを目的とする。
【０００９】
【課題を解決するための手段】
本発明は上記課題を解決するための投票受付装置を提供するものであり、該投票受付装置は、選挙投票所の入場券に記録された情報を読み取る読取手段と、有権者名簿の情報を記憶する記憶手段と、読取手段により読み取られた入場券の情報と記憶手段に記憶された有権者名簿の情報とを照合し、読み取られた入場券の情報に対応する有権者名簿の情報を抽出する照合手段と、該照合手段により照合した結果を表示する表示手段と、指示に基づいて投票用紙を１枚ずつ交付する投票用紙交付手段と、入場券が正当なものであると判断し、該入場券を受け付けることとしたとき、投票用紙交付手段に投票用紙交付の指示を出す交付指示手段とを備えた投票受付装置であって、正当なものであると判断され受け付けられた入場券の受付枚数と、投票用紙交付手段から送信された、実際に交付した投票用紙の交付枚数とを比較する比較手段と、該比較手段により比較した結果を出力する出力手段とを備えたことを特徴とする。
【００１０】
この投票受付装置は、選挙投票所において、有権者が持参した入場券に記録された情報を読取手段によって読み取る。そして、その後は、自動的に照合手段が記憶手段に記憶された有権者名簿の情報と照合して、照合結果を表示手段に表示する。
【００１１】
そして、照合結果より、入場券が正当なものであると判断したとき、投票用紙交付手段に投票用紙交付の指示を出力し、投票用紙交付手段により投票用紙を１枚交付する。
【００１２】
そして、投票受付装置では、装置の誤作動や人為的ミスにより、例えば正当な有権者１人に対し２枚の投票用紙を交付してしまったり、有権者の受け付けを行っていないにもかかわらず投票用紙を交付してしまったりして、来場した正当な有権者の数と交付した投票用紙の数とに不一致が生じた場合に、その不一致となる事態を速やかに把握して、迅速に対処するようにできる。
【００１３】
交付指示手段は、手動で操作するものであって、係員が前記表示手段の表示により前記入場券が正当なものであると判断したときに操作し、投票用紙の交付を指示するものであってよい。
【００１４】
また、交付指示手段は、前記照合手段による照合結果から入場券が正当なものであることを判断して自動的に投票用紙の交付を指示するものであってもよい。
【００１５】
ここで、受付枚数と交付枚数を比較する比較手段は、予め定めた時刻あるいは時間毎に動作するようにでき、そうすることにより、予定した受付作業の進行に合わせて集計結果を確認することができ、スムーズに受付作業を進めることができる。
【００１６】
また、比較手段は、受付枚数集計手段が集計した入場券の受付枚数、または、交付枚数集計手段が集計した投票用紙の交付枚数のいずれかが予め定めた枚数に達する毎に動作するようにしてもよく、そうすることにより、予定した受付作業の進行に合わせて集計結果を確認することができ、スムーズに受付作業を進めることができる。
【００１７】
また、投票受付装置を、読取装置が情報を読み取った入場券の枚数を集計する読取枚数集計手段を備えたものとし、この読取枚数集計手段が集計した入場券の読取枚数が予め定めた枚数に達する毎に比較手段が動作するようにしてもよく、そうした場合も、予定した受付作業の進行に合わせて集計結果を確認することができ、スムーズに受付作業を進めることができる。
【００１８】
【発明の実施の形態】
以下、本発明の実施の形態を図面に基づいて説明する。
【００１９】
図１および図２は本発明の実施の形態の投票受付装置の一例の外観および構成を示し、図３は投票所入場券としての案内葉書５の一例を示している。また、図４は有権者名簿の一例のデータ構造を示している。
【００２０】
図１および図２に示す投票受付装置１Ａは、ＯＣＲ（光学文字読取装置）２とパソコン（電子計算機）３と投票用紙交付機４とで構成されている。
【００２１】
ＯＣＲ２は、案内葉書５（投票所入場券）に文字で記録された有権者情報を読み取る読取手段を構成する。
【００２２】
パソコン３は、計算機本体６、記憶装置７、表示装置８、入力装置９などから構成される。
【００２３】
投票用紙交付機４は、予め内部に収容した投票用紙１０を、交付指示に従い一枚ずつ取り出し口１１まで繰り出し搬送するものであり、液晶表示部１２ａを備えた表示装置１２が接続されている。
【００２４】
案内葉書５は、図３に示すように、有権者の住所、氏名、年齢、性別などの有権者情報や、選挙の種類、投票日、投票区、投票所などの選挙情報が文字情報２１として印刷され、また、適宜、印刷された文字情報２１と同じ情報、または、その一部の情報が、葉書の最下段にバーコード２２として印刷される。
【００２５】
記憶装置７には、各投票所毎の有権者名簿が記憶保持されている。記憶装置７に記憶された有権者名簿は、例えば、図４に示すように、有権者の氏名３１、住所３２、年齢３３、性別３４などの名簿データと、二重投票を防ぐため投票の有無を示す投票済情報３５と、受付けを完了した日時を示す受付情報３６などで構成される。そして、例えば不在者投票により既に投票済みの有権者については、投票済情報３５が予め「済」とされ、受付日時情報３６が予め「不在者投票」とされる。
【００２６】
公職選挙法に基づく現在の選挙では、１つの選挙区内に複数の投票所が設けられ、各有権者は指定された１つの投票所で投票するのが一般的である。そのため、各投票所には、その投票所で指定された有権者の名簿のみが用意されていれば十分であり、有権者名簿は上述のように各投票所毎の投票受付装置１のパソコン３の記憶装置７に必要な分のデータのみをローカルに記憶保持するので十分である。しかし、有権者の利便性から言えば、一人の有権者が複数の投票所で投票できる方が好都合であり、将来そうした運用となる可能性も考えられるが、そうした運用がなされる場合は、１つのサーバに有権者名簿を持たせて、各投票所の投票受付装置１Ａのパソコン３は、通信によりサーバの有権者名簿を参照するようにする。
【００２７】
この実施の形態では、案内葉書５に印刷された各文字情報をＯＣＲ２で読み取って、パソコン３に取り込む。案内葉書５には、有権者情報として、有権者名簿の該当ページ数や、有権者を特定できる有権者番号が記載されている場合もあるが、その場合は、それら該当ページ数や、有権者番号も同様に読み取る。
【００２８】
なお、印刷された文字情報２１と同じ情報、または、その一部の情報がバーコード２２として印刷されている場合は、ＯＣＲ２に代えて、バーコードリーダを用いて情報を読み取ることもできる。また、案内葉書５は、磁気テープやＩＣカード等に有権者情報等を記録させたものであってもよく、そうした場合、読取手段として、磁気リーダやＩＣカードリーダなど、各情報記録媒体に応じた読取装置を利用する。
【００２９】
この実施の形態の投票受付装置１において、ＯＣＲ２により読み取られ、パソコン３に入力された案内葉書５の有権者情報は、パソコン３の計算機本体６によって認識されて、記憶装置７に記憶された有権者名簿と照合される。そして、氏名、住所、年齢、性別等が有権者情報と一致する名簿データが抽出され、表示装置８に表示される。
【００３０】
係員は、この表示された名簿データと見較べて、年齢や性別から、葉書を持参した有権者が正当な有権者であることを目視で確認する。そして、正当な有権者であると判断し、すなわち、案内葉書５（入場券）が正当なものであると判断すると、係員は、パソコン３の入力装置９を交付指示手段として操作し、投票用紙交付機４に投票用紙の交付を指示する。なお、交付指示手段としては、表示装置８の特定の個所を入力装置としてのマウスでクリックしたり、表示装置８をタッチパネルで構成し、タッチパネルの所定位置を指で押下したり、キーボードの特定のキーを押下することで投票用紙の交付を指示するようにすることもできる。また、交付指示手段はパソコン３とは別体の装置によって構成してもよい。
【００３１】
なお、この実施の形態は、係員が有権者を目視で確認し交付指示手段を手動で操作する場合であるが、パソコン３の計算機本体６に、照合結果から入場券が正当なものであることを判断して自動的に投票用紙の交付を指示する交付指示手段としての機能を持たせ、正当な有権者であると判断したとき自動的に投票用紙を交付するようにしてもよい。
【００３２】
交付指示手段により交付指示が出力されると、投票用紙交付機４は交付指示に従い投票用紙１０を一枚ずつ取り出し口１１まで搬送する。そして、取り出し口１１まで搬送された投票用紙１０を抜き取ることにより投票用紙の交付が完了する。
【００３３】
また、この実施の形態の投票受付装置１において、パソコン３の計算機本体６は、受付枚数集計手段として機能し、正当なものであると判断され受け付けられた案内葉書５（入場券）の受付枚数を集計して、その集計結果を記憶装置７に記憶する。すなわち、上記手順により、正当な有権者であると判断し、すなわち、案内葉書５（入場券）が正当なものであると判断して、係員が交付指示手段を操作し、投票用紙交付機４に投票用紙の交付指示が出力されたときに、受付枚数を加算し集計を行う。このとき、性別や年齢、住所などで区分して受付枚数を集計したり、同様に性別や年齢、住所などで区分して全有権者数に対する受付枚数の割合を投票率として集計し、受付データとして活用することも可能である。
【００３４】
また、投票用紙交付機４は、実際に交付した投票用紙の枚数を集計する交付枚数集計手段としての機能を有する。すなわち、投票用紙交付機４の取り出し口１１には、用紙抜き取りを検知するセンサ（図示せず）が設けられ、投票用紙１０が抜き取られたことをセンサが検知したときに、交付枚数を加算し、実際に交付した投票用紙の枚数を集計する。こうして集計された投票用紙の交付枚数は、パソコン３に送信される。
【００３５】
また、投票用紙交付機４に接続された表示装置１２の表示部１２ａには、交付枚数や投票用紙の残枚数が表示される。係員はこれを見て交付枚数を確認したり、投票用紙交付機４に収容されている投票用紙１０の残枚数を確認したりすることができる。また、表示装置１２の表示部１２ａには、投票用紙１０を投票用紙交付機４から抜き取って有権者に手渡す際に、有権者の年齢、性別等を再度確認することができよう有権者情報を表示してもよい。
【００３６】
そして、投票用紙交付機４からパソコン３に送信された投票用紙の交付枚数は、計算機本体６が構成する比較手段により、正当なものであると判断された案内葉書５の受付枚数と比較され、比較結果が出力される。例えば、比較結果が表示装置に表示され、あるいは、例えば電話回線を介して外部に送信される。そして、それらの集計結果が一致しないときは、その旨が警報として表示装置８に表示され、係員に報知されるようにしてもよい。また、両者の集計結果が一致しないときは、表示装置８による警報以外に、音声で警報を出力し、係員に報知するようにしてもよい。
【００３７】
パソコン３によって集計される正当な案内葉書５（入場券）の受付枚数と、投票用紙交付機４によって集計される投票用紙の交付枚数は、正常な処理がなされている限り一致するはずであるが、装置の誤作動や人為的ミスもあるため、受付枚数と交付枚数とに不一致が生ずる可能性は皆無ではない。この投票受付装置１では、受付枚数と交付枚数とをパソコン３と投票用紙交付機４とで別々に集計することで、受付枚数と交付枚数をそれぞれ確実に集計でき、それら集計結果が自動的に比較され、比較結果が出力されることで、不一致が生じたことを即座に知ることができる。特に、不一致が生じたときに警報が発せられるようにすることで、迅速な対応が可能となる。
【００３８】
パソコン３による受付枚数と交付枚数の比較は、投票用紙交付機４から投票用紙が抜き取られるたびに毎回、あるいは集計ボタンの操作により随時行ってもよく、また、予め指定した時刻に比較したり、予め指定した時間毎に比較してもよい。また、案内葉書５の受付枚数が所定の枚数となったとき、例えば、案内葉書５を１００枚受け付ける毎に比較を行ってもよいし、投票用紙の交付枚数が所定の枚数となる毎に比較を行ってもよく、さらに、ＯＣＲ２が読み取った案内葉書５の枚数を集計して、その枚数が所定の枚数となる毎に比較を行うようにしてもよい。
【００３９】
つぎに、図５〜１１に示す表示例、および図１２〜１７に示すフローチャートを参照して、この実施の形態の投票受付装置１Ａによる選挙投票の受付業務、特にパソコン３および投票用紙交付機４の動作を説明する。
【００４０】
図５はパソコン３の表示装置８の受付待機表示画面の表示例を示し、図６は名簿照合結果の表示例を示し、図７は名簿照合結果の他の表示例を示し、図８は投票用紙交付中の表示例を示し、図９は投票用紙交付機４に接続された表示装置１２による有権者情報の表示例を示し、図１０はパソコン３の表示装置８の集計結果の表示例を示し、図１１は前回受付無効画面の表示例を示す。また、図１２〜１６は、パソコンの動作を示すフローチャート（１／５〜５／５）、図１７は、投票用紙交付機４の動作を示すフローチャートである。
パソコン３は、投票受付装置１に電源を投入することにより動作を開始する（スタート）。このとき、表示装置８には、図５に示す受付待機表示画面が表示され待機状態となる。そして、図１２〜１６のステップＳ１〜３２の手順で動作する。
【００４１】
すなわち、スタートすると、ステップＳ１で、ＯＣＲ２による案内葉書５の読み取りが有ったか否かを判断する。この判断が「ＹＥＳ」で、パソコン３に接続されたＯＣＲ２（読取手段）が、案内葉書５に印刷された情報を読み取り、読み取った情報が計算機本体６に入力されているということであれば、後述のようにステップＳ５の名簿照合の処理に移行することになる。
【００４２】
そして、ステップＳ１の判断が「ＮＯ」で、案内葉書５の読み取りが無いときは、ステップＳ２に進み、集計ボタンＯＮか否かの判断、すなわち、図５の受付待機表示画面の集計ボタン４１がクリックされているか否かの判断を行う。この判断が「ＹＥＳ」で、集計ボタン４１がクリックされているということであれば、後述のようにステップＳ１８の集計結果表示の処理に移行することになる。
【００４３】
そして、ステップＳ２の判断が「ＮＯ」で、集計ボタン４１がクリックされていないときは、ステップＳ３に進み、設定ボタンＯＮか否かの判断、すなわち、図５の受付待機表示画面の設定ボタン４２がクリックされているか否かの判断を行う。この判断が「ＹＥＳ」で、設定ボタン４２がクリックされているということであれば、後述のようにステップＳ２３の設定画面表示の処理に移行することになる。
【００４４】
そして、ステップＳ３の判断が「ＮＯ」で、設定ボタン４２がクリックされていないときは、ステップＳ４へ進み、前回無効ボタンＯＮか否かの判断、すなわち、図５の受付待機表示画面の前回無効ボタン４３がクリックされるいるか否かの判断を行う。この判断が「ＹＥＳ」で、前回無効ボタン４３がクリックされているということであれば、後述のようにステップＳ２７の前回受付データ表示の処理に移行することになる。
【００４５】
そして、ステップＳ４の判断が「ＮＯ」で、前回無効ボタン４３がクリックされていないときは、もとに戻り（リターン）、いずれかのイベントが発生するまで、待機状態としてステップＳ１〜Ｓ４の処理を繰り返す。
【００４６】
そして、ステップＳ１の判断が「ＹＥＳ」で、ＯＣＲ２（読取手段）が、案内葉書５に印刷された情報を読み取り、読み取った情報が計算機本体６に入力されているということになれば、ステップＳ５へ進み、名簿照合の処理、すなわち、計算機本体６に入力された有権者情報を、記憶装置７に記憶された有権者名簿（図４参照）と照合し、対応するデータを抽出する処理を行う。
【００４７】
ここで、名簿の照合方法は、すべての有権者情報が一致（完全一致）するもののみを抽出するようにしてもよいが、ＯＣＲ２による読み取りミスや案内葉書５の印刷ミスなどもあるため、案内葉書５の有権者情報の一部を正確に読み取ることができず、正当な有権者であるにもかかわらず、有権者名簿に完全に一致するデータがないということも考えられるので、有権者情報が１文字違いの名簿データや、氏名が一致（部分一致）するデータは全て抽出し、後述のステップＳ６で全て表示装置８に表示し、最終確認は係員が行うこととしてもよい。
【００４８】
そして、ステップＳ６で、照合結果表示の処理を行い、ステップＳ５で照合した結果を、図６あるいは図７に示す態様等で表示装置８に表示する。完全一致の場合の名簿照合結果の表示は、例えば図６に示すとおりで、表示装置８には、照合された有権者の氏名３１、住所３２、年齢３３、性別３４、投票済情報３５、受付情報３６等を表示する。また、部分一致のデータを表示する場合の名簿照合結果の表示は、例えば図７に示すように、照合の結果、住所が同じで氏名が１文字違いの有権者の名簿データが３件抽出された場合、その３件のデータを表示装置８に表示する。
【００４９】
そして、ステップＳ７に進み、読取ボタンＯＮか否かの判断、すなわち、読み取りをやり直すために、例えば図６の名簿照合結果の表示画面の読取ボタン４５がクリックされているか否かの判断を行う。
【００５０】
係員は、ステップＳ６で表示装置８に表示されたデータから、投票済情報３５が「未」であることを確認し、また、案内葉書５を持参した有権者が、表示されたデータの年齢や性別に合致することを目視で確認し、あるいは、図７に示す例のように複数の抽出データが表示されている場合、表示されたデータと案内葉書５の記載を見比べて、あるいは来場した有権者本人に確認するなどして、年齢や性別などの情報を確認し、どの名簿データが該当データであるかを判断した上で、年齢や性別に合致することを目視で確認する。そして、その際、照合結果が１件も表示されなかったり、係員による目視確認の結果、案内葉書５を持参した有権者に該当すると思われるデータが、照合結果として表示されていないときには、案内葉書５の読み取りをやり直すため、読取ボタン４５をクリックする。
【００５１】
ステップＳ７の判断が「ＹＥＳ」で、案内葉書５の読み取りをやり直すために読取ボタン４５がクリックされているということであれば、待機状態に戻る。
【００５２】
そして、ステップＳ７の判断が「ＮＯ」で、読取ボタン４５がクリックされていないときは、ステップＳ８へ進み、交付ボタンＯＮか否か、すなわち、目視による確認の結果、表示されたデータが該当データであり、案内葉書５（入場券）が正当なものであると判断して、係員が例えば図６の名簿照合結果の表示画面の交付ボタン４４をクリックしたか否かの判断を行う。図７に示すように複数の抽出データが表示され、その内の１件を該当データとして選択する場合、係員は、該当データの選択欄４５をクリックし、次いで、交付ボタン４４をクリックする。
【００５３】
ステップＳ８の判断が「ＮＯ」で、交付ボタン４４がクリックされていないということであれば、ステップＳ７に戻る。
【００５４】
表示装置８は、読取ボタン４５または交付ボタン４４のいずれかがクリックされるまで、照合結果を表示した画面で待機する。
【００５５】
そして、ステップＳ８の判断が「ＹＥＳ」で、交付ボタン４４がクリックされた状態になると、ステップＳ９へ進み、投票用紙交付指示の処理を行う。すなわち、投票用紙交付機４に投票用紙の交付を指示する命令を送信する。交付指示命令を受信した投票用紙交付機４は、後述のとおり図１７のフローチャートの手順で動作する。
【００５６】
そして、ステップＳ１０で、名簿データ書き換えの処理を行う。すなわち、名簿データの投票済情報３５を「済」に書き換え、受付情報３６に現在の日時を記入する。このとき、名簿データは、一旦受け付けて、書き換えた後、訂正する必要が生じる場合があるので、書き換え前の名簿データ、書き換え履歴などは、次回の葉書読み取り（ステップＳ２）が行われるまで保持されるようにする。
【００５７】
そして、ステップＳ１１で受付枚数加算の処理を行う。すなわち、正当なものであると判断され受け付けられた案内葉書５（入場券）の受付枚数を加算、集計する。
【００５８】
そして、ステップＳ１２で、交付中画面表示の処理をする。すなわち、ステップＳ９の処理で交付指示命令を受信した投票用紙交付機４が、投票用紙を、取り出し口１１まで繰り出し搬送し、有権者または係員によって抜き取られるまで保持する間、表示装置８には、図８に示すように、投票用紙を交付している途中であることを示す画面を表示し、新たな受付はできない状態としておく。
【００５９】
つぎに、ステップＳ１３で、訂正ボタンＯＮか否かの判断を行う。投票用紙の交付を指示してから、投票用紙交付機４から投票用紙が抜き取られるまでの間に、照合データが間違いであると気付いた場合、係員は、図８の投票用紙交付中の画面で訂正ボタン４６をクリックすることとなっている。そこで、この訂正ボタン４６がクリックされたか否かの判断を行うのである。
【００６０】
ステップＳ１３の判断が「ＹＥＳ」で、訂正ボタン４６がクリックされたというときは、後述のステップＳ１４、ステップＳ１５の処理を経て、照合結果表示のステップ（Ｓ６）に戻る。このとき、表示装置８には、再び、図６または図７に示すような名簿照合結果が表示される。
【００６１】
ステップＳ１４では、名簿データ初期化の処理を行う。すなわち、書き換えられた該当データの投票済情報３５と受付情報３６を、ステップＳ１０で保持しておいた書き換え前の名簿データ、書き換え履歴などを元に、書き換え前のデータに初期化する。
【００６２】
ステップＳ１５では、受付枚数減算の処理を行う。すなわち、ステップＳ１１で加算した受付枚数を、１だけ減算し、受付枚数を、交付ボタン４４をクリックする前の数値に戻す。
【００６３】
ステップＳ１３の判断が「ＮＯ」で、訂正ボタン４６がクリックされていないときは、ステップＳ１６で、抜き取り確認の処理を行う。投票用紙交付機４の取り出し口１１まで搬送された投票用紙が、有権者や係員により抜き取られたことを、抜き取りセンサが検知すると、投票用紙交付機４から計算機本体６に抜き取り信号が送信される。そこで、この抜き取り信号の送信があったか否かを確認する。そして、抜き取り信号の送信が確認されないときは、ステップＳ１３へ戻り、訂正ボタン４６がクリックされない限り、ステップＳ１６の判断を繰り返して、抜き取り信号の送信を確認したところで、次のステップＳ１７に進む。
【００６４】
Ｓ１２で交付中となった表示装置８の画面は、訂正ボタン４６がクリックされるか、抜き取り信号を受信するかのいずれかのイベントが発生するまで、投票用紙交付中の状態を維持する。
【００６５】
ステップＳ１７では交付枚数データ受信の処理を行う。投票用紙交付機４は、投票用紙の抜き取りを確認した後、計算機本体６とは独立して交付枚数を加算集計し、交付枚数データを計算機本体６に送信する。そこで、計算機本体６は、その交付枚数データを受信し、記憶するのである。
【００６６】
以上で、名簿照合から投票用紙交付までの動作が完了し、次の有権者が持参した案内葉書５を読み取るための待機状態となるようステップＳ１に戻る。
【００６７】
そして、ステップＳ１の判断が「ＮＯ」で、新たな案内葉書５の読み取りが無い状態で、ステップＳ２へ進み、図５の受付待機表示画面の集計ボタン４１がクリックされている（ＹＥＳ）と判断したときは、ステップＳ１８に進み、集計結果表示の処理を行う。すなわち、表示装置８に、例えば図１０に示すように、案内葉書５の受付枚数や投票用紙の交付枚数などの集計結果を表示する。
【００６８】
図１０の表示例は、現在の時刻、その投票所の有権者数が表示され、また、現在までの案内葉書５の受付枚数や、全有権者数に対する受付枚数の割合（現在までの投票率に相当する）や、現在までの投票用紙の交付枚数などが表示され、さらに、１時間ごとの受付枚数と割合、１時間ごとの男女別の受付枚数と割合、各受付枚数および割合の合計数などが表示される。
【００６９】
これにより、来場する有権者数の動向すなわち投票率の推移を把握することができ、それを投票率を高めるための広報活動等に利用することができる。受付枚数などを集計する時間間隔は、後述の設定画面で任意に設定することができる。また、名簿データにより、各有権者の住所や年齢も把握できているので、住所別や年齢別の受付枚数（投票率）を表示することも可能であり、そうすることで、より詳細な投票率の推移を把握することができ、投票率の低い地域を中心に投票所への来場を呼びかけるなどの対策を講じることができる。
【００７０】
つぎのステップＳ１９では、受付枚数＝交付枚数か否かを判断する。すなわち、計算機本体６は、集計した案内葉書５の受付枚数と、投票用紙交付機４から送信された投票用紙の交付枚数とを比較し、両者が一致するか否かを判断する。そして、受付枚数と交付枚数が一致している、すなわち、来場した正当な有権者の数と交付した投票用紙の数が一致し、正当な有権者一人一人に投票用紙を１枚ずつ交付できていることが確認できた場合は、そのまま後述のステップＳ２１の処理に移行する。
【００７１】
また、ステップＳ１９の判断が「ＮＯ」で、受付枚数と交付枚数が一致していないと判断した場合は、ステップＳ２０へ進み、警報出力の処理を行う。すなわち、画面への表示や音声により係員に警報を発する。そして、ステップＳ２１へ進む。
【００７２】
なお、このフローチャートでは、集計ボタン４１が操作され、集計結果表示に移行したときに、受付枚数と交付枚数の比較を行うようにしているが、集計結果表示への移行とは関係なく、自動的に比較処理を行うようにすることもできる。例えば、投票用紙交付機４から投票用紙が抜き取られるたびに毎回自動的に比較演算を行うようにしたり、予め指定した時刻あるいは予め指定した時間毎に比較演算を行うようにしたり、案内葉書５の受付枚数が所定の枚数となったとき、例えば、案内葉書５を１００枚受け付ける毎に比較を行うようにしたり、投票用紙の交付枚数が所定の枚数となる毎に比較を行うようにし、受付枚数と交付枚数が一致しないときは、受付待機状態であっても、画面への表示や音声により係員に報知するようにすることもできる。
【００７３】
そして、ステップＳ２１では、設定ボタンＯＮか否かを判断する。すなわち、図５の受付待機表示画面の設定ボタン４２がクリックされたか否かを判断する。後述のステップＳ２３の設定画面表示から始まる各種設定の処理は、集計結果を表示している状態から設定ボタン４２をクリックすることによっても行うことができ、ステップＳ２１では、そうした集計結果表示の状態からの設定ボタン４２のクリックがあったか否かを判断するのである。そして、設定ボタン４２がクリックされたと判断したときは、後述のようにステップＳ２３へ移行する。
【００７４】
そして、ステップＳ２１の判断が「ＮＯ」で、設定ボタン４２のクリックが無かったと判断したときは、ステップＳ２２へ進み、受付ボタンＯＮか否かを判断する。すなわち、図１０の集計結果表示の画面の受付ボタン４７がクリックされたか否かを判断する。そして、その判断が「ＮＯ」で、受付ボタン４７がクリックされなかったときは、ステップＳ２１へ戻り、受付ボタン４７がクリックされ、「ＹＥＳ」の判断となったら、次の有権者が持参した案内葉書５を読み取るための待機状態となるようステップＳ１に戻る。
【００７５】
Ｓ１８で集計結果の表示状態となった表示装置８の画面は、設定ボタン４２がクリックされるか、受付ボタン４７がクリックされるかのいずれかのイベントが発生するまで、集計結果表示の状態を維持する。
【００７６】
また、ステップＳ１の判断が「ＮＯ」で、新たな案内葉書５の読み取りが無く、ステップＳ２の判断が「ＮＯ」で、集計ボタン４１のクリックも無い状態で、図５の受付待機表示画面の設定ボタン４２がクリックされて、ステップＳ３の判断が「ＹＥＳ」となったとき、あるいは、図１０の集計結果表示の画面の設定ボタン４２がクリックされて、ステップＳ２１の判断が「ＹＥＳ」となったときは、ステップＳ２３に進み、設定画面表示の処理を行う。すなわち、▲１▼時刻設定（パソコン３の内部時計の設定）、▲２▼その投票所の全有権者数、▲３▼照合の精度（住所、氏名、年齢など完全一致か、部分一致か）、▲４▼照合の結果表示する名簿データの最大件数、▲５▼受付枚数と交付枚数の比較を自動的におこなう時刻または時間間隔、▲６▼集計結果表示画面に表示するデータの種類（時間帯別、男女別、投票率など）など、予め用意された項目について設定を行うための画面表示（図示せず）を行う。なお、この画面表示（設定画面）においても、図５の受付待機表示画面と同様の集計ボタン４１と受付ボタン４７が設けられる。
【００７７】
そして、ステップＳ２４で、入力に基づいて各種設定の処理を行う。
【００７８】
そして、ステップＳ２５で、集計ボタンＯＮか否か、すなわち、上記設定画面において集計ボタン４１がクリックされたか否かを判断する。上述のステップＳ１８の集計結果表示は、設定画面（図示せず）の集計ボタンをクリックすることによっても行うことができ、ステップＳ２５では、そうした設定画面からの集計ボタンのクリックがあったか否かを判断するのである。そして、集計ボタンがクリックされたと判断したときは、ステップＳ１８の集計結果表示の状態へ戻る。
【００７９】
そして、ステップＳ２５の判断が「ＮＯ」で、集計ボタンのクリックが無かったと判断したときは、ステップＳ２６へ進み、受付ボタンＯＮか否かを判断する。すなわち、設定画面（図示せず）にも受付ボタンが表示され、その受付ボタンがクリックされたか否かを判断する。そして、その判断が「ＮＯ」で、受付ボタンがクリックされなかったときは、ステップＳ２５へ戻り、受付ボタンがクリックされ、「ＹＥＳ」の判断となったら、次の有権者が持参した案内葉書５を読み取るための待機状態となるようステップＳ１に戻る。
【００８０】
Ｓ２３で各種の設定をおこなう状態となった表示装置８の画面は、集計ボタンがクリックされるか、受付ボタンがクリックされるかのいずれかのイベントが発生するまで各種設定が可能な状態を維持する。
【００８１】
また、ステップＳ１の判断が「ＮＯ」で、新たな案内葉書５の読み取りが無く、ステップＳ２の判断が「ＮＯ」で、集計ボタン４１のクリックも無く、ステップＳ３の判断が「ＮＯ」で、設定ボタン４２のクリックも無い状態で、図５の受付待機表示画面の前回無効ボタン４３がクリックされて、ステップＳ４の判断が「ＹＥＳ」となったときは、ステップＳ２７に進み、前回受付データ表示の処理を行う。投票用紙を交付した後に、案内葉書５が正当なものでなかったり、案内葉書５の情報から照合し選択した名簿データが間違いであったことに気付く場合があり、そのような場合は、図５の受付待機表示画面の前回無効ボタン４３をクリックすることにより、前回の受け付けを無効とする処理に移行するのである。すなわち、表示装置８に、図１１に示すような前回受付無効画面を表示する。
【００８２】
そして、ステップＳ２８で、キャンセルがあったか否かを判断する。表示された前回受付無効画面に表示された名簿データが、無効とすべきデータでないときは、キャンセルボタン４９がクリックされる。そこで、キャンセルボタン４９がクリックされたか否かを判断するのである。このステップＳ２８の判断が「ＹＥＳ」で、キャンセルボタン４９がクリックされたというときは、待機状態となるようステップＳ１に戻る。
【００８３】
そして、ステップＳ２８の判断が「ＮＯ」で、キャンセルされていないというときは、ステップＳ２９へ進み、無効実行か否かを判断する。図１１の前回受付無効画面に表示された名簿データが、無効とすべきデータであることを確認したときは、係員は実行ボタン４８をクリックする。そこで、その実行ボタン４８のクリックがあったか否かを判断するのである。この判断が「ＮＯ」で、実行ボタン４８がクリックされていないというときは、ステップＳ２８へ戻る。
【００８４】
そして、ステップＳ２９の判断が「ＹＥＳ」で、実行ボタン４８がクリックされたというときは、ステップＳ３０〜３２の処理を実行する。
【００８５】
まず、ステップＳ３０で、前回受付データ初期化の処理を行う。すなわち、前回受け付けた名簿データの投票済情報３５や受付情報３６を、書き換え前のデータに初期化する。初期化のためのデータは、前回の受付時にステップＳ１０において名簿データを書き換えたときに保持しておいた書き換え前の名簿データ、書き換え履歴などを利用する。
【００８６】
つぎに、ステップＳ３１で、受付枚数減算の処理を行う。すなわち、ステップＳ１１で加算した受付枚数を１だけ減算し、受付枚数を、前回受付の前の数値に戻す。
【００８７】
そして、ステップＳ３２で、交付枚数減算指示の処理を行う。すなわち、投票用紙交付機４にも交付枚数の減算を指示する信号を送出する。なお、この場合、交付すべきでない投票用紙を投票用紙交付機４から抜き取ってしまっているので、係員は、抜き取られた投票用紙をすみやかに回収する。
【００８８】
そして、次の有権者が持参した案内葉書５を読み取るための待機状態となるようステップＳ１に戻る。
【００８９】
つぎに、投票用紙交付機４の制御部の動作を図１７のフローチャートによって説明する。
【００９０】
投票用紙交付機４の制御部は、投票用紙交付機４に電源を投入することにより動作を開始する（スタート）。
【００９１】
そして、スタートすると、ステップＴ１で、交付枚数減算受信か否か、すなわち、パソコン３側の前回受け付けたデータを無効とする処理（ステップＳ３０〜３２）により、計算機本体６から交付枚数減算を指示する命令が送出され、それを投票用紙交付機４側が受信したか否かを判断する。この判断が「ＮＯ」で、交付枚数減算の指示命令を受信していないときは、そのまま何もせず後述のステップＴ４に進む。
【００９２】
そして、ステップＴ１の判断が「ＹＥＳ」で、交付枚数減算の指示命令を受信したというときは、ステップＴ２で、交付枚数減算を処理を行う。すなわち、投票用紙交付機４側で独自に集計している交付枚数を１だけ減算する。
【００９３】
そして、ステップＴ３で、減算した交付枚数データを計算機本体６に送信する。そして、ステップＴ４へ進む。
【００９４】
そして、ステップＴ４で、交付指示受信か否かの判断を行う。すなわち、パソコン３側のステップＳ９の処理により、計算機本体６から投票用紙の交付を指示する命令が送出され、それを投票用紙交付機４側が受信したか否かの判断を行う。この判断が「ＮＯ」で、交付指示の命令を受信していないときは、もとに戻って、ステップＴ１〜４の処理を繰り返し、交付指示命令を受信するまで、交付枚数減算を指示する命令の受信をチェックしながら待機する。
【００９５】
そして、ステップＴ４の判断が「ＹＥＳ」で、交付指示の命令を受信したというときは、ステップＴ５に移行し、投票用紙繰り出しの処理を行う。この処理により、投票用紙交付機４は、装置内部のホッパに収容した投票用紙を１枚ずつ、取り出し口１１まで繰り出し搬送する。
【００９６】
このとき、投票用紙交付機４の制御部は、投票用紙の繰り出しと同時に、投票用紙交付機４に接続された表示装置１２に有権者情報を表示するようにしてもよい。表示する有権者情報は、計算機本体６からの交付指示命令とともに受信する。この表示装置１２による有権者情報の表示は、例えば図９に示すように、表示装置１２の液晶表示部１２ａに、投票用紙を交付する対象となる有権者の氏名、住所、年齢、性別などの情報を表示するものである。
【００９７】
投票受付装置１の設置場所の都合等で、パソコン３と投票用紙交付機４が比較的離れていたり、投票用紙をより確実に交付するため、取り出し口１１に繰り出し搬送された投票用紙を係員が抜き取って確認してから有権者に手渡す場合には、投票用紙交付機４の近傍にも係員を配置することになり、そのような場合、液晶表示部１２ａに有権者情報が表示されることで、正当な有権者であることをその場でもう一度目視確認することができ、パソコン３の近傍で案内葉書５を受け付ける際の名簿データとの照合による有権者の確認と合わせて、一層確実に本人確認を行える。
【００９８】
また、この表示装置１２には、有権者情報とともに、実際に交付した投票用紙の枚数や、全有権者数に対する交付枚数の比率（投票率）や、投票用紙交付機４に収容されている投票用紙の残枚数を表示するようにしてもよい。図９の例では、交付枚数３５０枚、投票率３５％、残枚数６５０枚と表示している。
【００９９】
また、パソコン３側が、ステップＳ１３の処理で、投票用紙の交付を指示してから、投票用紙交付機４から投票用紙が抜き取られるまでの間に、照合したデータが間違いであることを係員が気付いて、訂正ボタン４６をクリックしたと判断し、パソコン３側の表示装置８の画面が名簿照合結果の表示画面（図６または図７）に戻ったときに、投票用紙交付機４側の表示装置１２に、交付指示が間違いであったことを表示し、投票用紙を抜き取らないように注意を促すようにしてもよい。それにより、次に交付ボタン４４がクリックされ、交付指示が出て、訂正ボタン４６のクリックがなく、投票用紙を実際に交付する場合に、新たな投票用紙を繰り出し搬送することなく、前回繰り返し搬送され、抜き取られないで、取り出し口１１に保持されたままの投票用紙を抜き取って交付するようにできる。
【０１００】
ステップＴ５の処理で投票用紙を繰り出すと、つぎに、ステップＴ６で、用紙抜き取り検知の処理を行う。すなわち、投票用紙交付機４の取り出し口１１に備えられた抜き取りセンサにより、投票用紙が取り出し口１１から抜き取られたことが検知されたか否かを判断する。取り出し口１１まで搬送された投票用紙は、有権者が直接抜き取る場合もあり、正規の投票用紙が１枚だけ繰り出し搬送されていることを確認するため、あるいは、上述のように液晶表示部１２ａの表示と照らし合わせて有権者を確認しつつ交付するために、係員が抜き取って有権者に手渡す場合もある。
【０１０１】
ステップＴ６の処理は、投票用紙の抜き取りが検知されたと判断するまで繰り返す。投票用紙の抜き取りが検知されたと判断すると、これで交付手続きが完了したことになる。そして、ステップＴ７に進み、抜き取り送信の処理を行う。すなわち、投票用紙が取り出し口１１から抜き取られたことを計算機本体６に送信する。
【０１０２】
そして、ステップＴ８で、交付枚数を１枚だけ加算し、ステップＴ９で、加算した投票用紙の交付枚数を計算機本体６に送信する。そして、次回の交付に備えてステップＴ１へ戻る。
【０１０３】
図１８および図１９は本発明の実施の形態の他の例を示している。
【０１０４】
図１８、１９に示す投票受付装置１Ｂは、パソコン（電子計算機）３と、投票用紙交付機４と、読取手段を構成する入場券処理装置５０とで構成されたもので、入場券処理装置５０以外の構成および動作は、先の図１および図２の実施の形態と同様である。
【０１０５】
入場券処理装置５０は、案内葉書５などの投票所入場券の入出口５１と、入出口５１から取り込まれた入場券の有権者情報等を読み取る読取手段５２と、読み取った入場券に通し番号を付与する番号付与手段５３と、取り込んだ入場券を保管する保管手段５４と、入場券の入出口５１からの取り込みや排出、読取手段５２から番号付与手段５３への搬送、番号付与手段５３から保管手段５４への搬送などを行う図示しない搬送手段と、これら各手段を制御する制御手段５５とから構成される。
【０１０６】
読取手段５２としては、先の図１および図２の実施の形態と同様に、ＯＣＲやバーコードリーダなどが用いられ、入場券の種類や情報形態によって様々な読取装置を利用し得ることは先の実施の形態の場合と同様である。
【０１０７】
この投票受付装置１Ｂにおいて、読取手段５２により読み取られた情報は、パソコン３に送出され、先の図１および図２の実施の形態と同様に照合処理がなされる。そして、読み取られた入場券（受付葉書）は、読取手段５２により一時保留され、その後、投票用紙の交付が完了し、次の入場券の読み取りが開始された時点で、番号付与手段５３に送られ、通し番号が付与される。
【０１０８】
また、前回無効ボタン４３（図５参照）や訂正ボタン４６（図８参照）がクリックされ、正常な受付処理が完了しなかったときは、読取手段５２に一時保留している入場券は、入出口５１から排出される。
【０１０９】
番号付与手段５３は、入場券に数字で通し番号を印刷するプリンタやスタンプであってよく、また、通し番号をバーコードとして付与するバーコード印刷機や、磁気データとして付与する磁気ライターなども利用可能である。
【０１１０】
こうして入場券に通し番号を付与することにより、入場券の枚数や受付順序を厳格に管理することができ、投票終了後に入場券の枚数を数えなおしたりする必要が生じたときに容易に対処することができる。
【０１１１】
通し番号が付与された入場券は、保管手段５４に搬送され保管される。保管手段５４は、入場券を厳重に保管するとともに、投票終了後は保管した入場券を容易に運び出せるようにするため、入場券処理装置５０から取り外し可能な、鍵付きのカセットとするのがよい。また、保管手段５４には、実際に取り込まれた入場券の枚数を検知し、保管している入場券の枚数を独自に集計する機能を設けてもよい。保管手段５４が独自に集計した保管枚数は、パソコン３が集計している入場券の受付枚数や、投票用紙交付機４が集計している交付枚数と比較することにより、間違いのない受付処理がされていることを確認することができる。
【０１１２】
こうした保管手段５４を設けることにより、受け付けた入場券の紛失などを防止でき、受け付けた入場券の枚数をより厳格に管理することができる。
【０１１３】
【発明の効果】
以上の説明から明らかなように、本発明の投票受付装置によれば、来場し受け付けた正当な有権者の数と、交付した投票用紙の数が一致しなくなる事態を速やかに把握して、迅速に対処することができる。
【０１１４】
すなわち、入場券に記録された情報を読取手段によって読み取り、自動的に有権者名簿の情報と照合し、その入場券を正当なものと判断して、該入場券を受け付けることとしたとき、投票用紙交付手段に投票用紙交付の指示を出すようにするとともに、装置の誤作動や人為的ミスで、例えば正当な有権者１人に対し２枚の投票用紙を交付してしまったり、有権者の受け付けを行っていないにもかかわらず投票用紙を交付してしまったりして、来場した正当な有権者の数と交付した投票用紙の数とに不一致が生じた場合に、その不一致となる事態を速やかに把握して、迅速に対処するようにできる。
【０１１５】
特に、正当な入場券の受付枚数を集計する受付枚数集計手段と、実際に交付した投票用紙の枚数を集計する交付枚数集計手段とを別々に設け、別々に集計することによって、受付枚数と交付枚数をそれぞれ確実に集計でき、両手段の集計結果を随時比較することで、間違いのない交付作業が行われているかどうかを容易に確認することができる。
【０１１６】
そして、受付枚数と交付枚数とに不一致が生じたときに警報を発して、両集計手段の集計結果の一致・不一致を自動的に報知することができる。
【図面の簡単な説明】
【図１】本発明の実施の形態の投票受付装置の外観図である。
【図２】本発明の実施の形態の投票受付装置の構成を示すブロック図である。
【図３】本発明の実施の形態における案内葉書（投票所入場券）の一例を示す表面図である。
【図４】本発明の実施の形態における有権者名簿の一例のデータ構造を示す図である。
【図５】本発明の実施の形態における受付待機表示画面の表示例を示す図である。
【図６】本発明の実施の形態における名簿照合結果の表示例を示す図である。
【図７】本発明の実施の形態における名簿照合結果の他の表示例を示す図である。
【図８】本発明の実施の形態における投票用紙交付中の表示例を示す図である。
【図９】本発明の実施の形態における投票用紙交付機に接続された表示装置による有権者情報の表示例を示す図である。
【図１０】本発明の実施の形態における集計結果の表示例を示す図である。
【図１１】本発明の実施の形態における前回受付無効画面の表示例を示す図である。
【図１２】本発明の実施の形態におけるパソコンの動作を示すフローチャートの一部（１／５）である。
【図１３】本発明の実施の形態におけるパソコンの動作を示すフローチャートの一部（２／５）である。
【図１４】本発明の実施の形態におけるパソコンの動作を示すフローチャートの一部（３／５）である。
【図１５】本発明の実施の形態におけるパソコンの動作を示すフローチャートの一部（４／５）である。
【図１６】本発明の実施の形態におけるパソコンの動作を示すフローチャートの一部（５／５）である。
【図１７】本発明の実施の形態における投票用紙交付機４の制御部の動作を示すフローチャートである。
【図１８】本発明の実施の形態の他の例の投票受付装置の外観図である。
【図１９】図１８に係る実施の形態の投票受付装置の構成を示すブロック図である。
【符号の説明】
１Ａ、１Ｂ  投票受付装置
２  ＯＣＲ（読取手段）
３  パソコン
４  投票用交付機
５  案内葉書（投票所入場券）
６  計算機本体
７  記憶装置
８  表示装置
９  入力装置
１０  投票用紙
１２  表示装置
５０  入場券処理装置
５２  読取手段
【図１】
0004594543.tif 000002
【図２】
0004594543.tif 000003
【図３】
0004594543.tif 000004
【図４】
0004594543.tif 000005
【図５】
0004594543.tif 000006
【図６】
0004594543.tif 000007
【図７】
0004594543.tif 000008
【図８】
0004594543.tif 000009
【図９】
0004594543.tif 000010
【図１０】
0004594543.tif 000011
【図１１】
0004594543.tif 000012
【図１２】
0004594543.tif 000013
【図１３】
0004594543.tif 000014
【図１４】
0004594543.tif 000015
【図１５】
0004594543.tif 000016
【図１６】
0004594543.tif 000017
【図１７】
0004594543.tif 000018
【図１８】
0004594543.tif 000019
【図１９】
0004594543.tif 000020